(57)【要約】    【課題】封をする部分に貼付して開封の有無を確実に表示させることができる開封表示シールを提供する。    【解決手段】内側シール１のシール基材３の表面に表示層５を形成する。封をする部分に内側シール１を貼付して、その表示層５にサイン４を記入する。内側シール１を透明又は半透明の外側シール２で覆う。シール基材３の一部と表示層５との間に剥離層６を形成しておく。開封時に外側シール２を剥がすことにより、剥離層６を形成した部位の表示層５のみが外側シール２に付着して取れる。外側シール２を再び貼り直しても、内側シール１に残ったサイン４と、外側シール２に付着したサイン４とが微妙にずれる。【選択図】  図１
2007057550.tif 000002
【特許請求の範囲】
【請求項１】
封をする部分に貼付して開封されたことを表示するための開封表示シールであって、
開封する際の破壊により開封されたことを表示する表示層と、サインなどの印を記入可能な記入層とを備えたことを特徴とする開封表示シール。
【請求項２】
前記表示層は、透明又は半透明の外側シールに覆われ、その一部と残部とで、封をする部分側への付着力が異なるように設定され、前記外側シールを剥がす際に、前記付着力の強い部位が封をする部分側に残って、前記付着力の弱い部位のみが外側シールに付着して取れることにより、表示層全体として破壊されることを特徴とする請求項１に記載の開封表示シール。
【請求項３】
前記表示層と前記記入層とが兼用されたことを特徴とする請求項２に記載の開封表示シール。
【請求項４】
封をする部分に貼付される内側シールと、該内側シールを覆うように貼付される前記外側シールとが設けられ、
前記内側シールは、シール基材の表面に表示層を形成してなり、
前記表示層は、その一部と残部とで、前記シール基材への付着力が異なるように設定されたことを特徴とする請求項３に記載の開封表示シール。
【請求項５】
前記シール基材の一部と表示層との間に剥離層が形成され、該剥離層が形成された表示層の一部と剥離層の存在しない表示層の残部とで、前記シール基材への付着力が異なるようにされたことを特徴とする請求項４に記載の開封表示シール。
【請求項６】
前記シール基材の一部に、表示層を保持する保持性を高めるプライマー処理が施され、プライマー処理が施された表示層の一部とプライマー処理が施されていない残部とで、前記シール基材への付着力が異なるようにされたことを特徴とする請求項４に記載の開封表示シール。
【請求項７】
前記外側シールよりも内側シールの粘着性が強く設定されたことを特徴とする請求項４、５又は６に記載の開封表示シール。
【請求項８】
前記内側シールの周縁の表面側に剥離層が形成されたことを特徴とする請求項４、５又は６に記載の開封表示シール。
【請求項９】
前記表示層を封をする部分に転写可能に保持する保持フィルムが設けられ、
前記表示層は、その一部と残部とで、封をする部分への付着力が異なるように設定されたことを特徴とする請求項３に記載の開封表示シール。
【請求項１０】
前記記入層と前記外側シールとが兼用され、
前記外側シールは、その表面にサインなどの印を記入可能とされ、裏面側に前記表示層が形成され、
前記表示層は、その一部と残部とで、封をする部分への付着力が異なるように設定されたことを特徴とする請求項２に記載の開封表示シール。
【請求項１１】
前記表示層の裏面の一部に粘着層が形成され、該粘着層が形成された表示層の一部と粘着層の存在しない表示層の残部とで、封をする部分への付着力が異なるようにされたことを特徴とする請求項９又は１０に記載の開封表示シール。
【請求項１２】
前記表示層の裏面側に、粘着層を介在させて、一部を開口された剥離層が設けられ、該剥離層が開口された部位の表示層と残部の表示層とで、封をする部分への付着力が異なるようにされたことを特徴とする請求項９又は１０に記載の開封表示シール。
【請求項１３】
前記表示層と前記記入層とが兼用され、
前記表示層は、シール基材の表面に形成され、
前記シール基材は、封をする部分から剥がす際の伸びに伴って前記表示層が破壊される程度の伸縮性を有するものとされたことを特徴とする請求項１に記載の開封表示シール。
【請求項１４】
前記シール基材は、封をする部分に貼付するまで、表示層を覆う保護フィルムによって伸縮を規制されたことを特徴とする請求項１３に記載の開封表示シール。
【発明の詳細な説明】
【技術分野】
【０００１】
本発明は、例えば機密書類を入れた封筒を第三者に開封されることを防止するために、開封したことを表示する開封表示シールに関するものである。
【背景技術】
【０００２】
一般に、機密書類を入れる封筒などは、第三者に開封されることを防止するため、開封されたことがわかるようにされる。
【０００３】
例えば図１０に示すように、紙製の封筒１０１では、糊付けやテープ止めによって封をして、この部分に印１０２を記したり押印１０３したりするようにしている。これにより、開封する際に封をした部分が破損したり、あるいは開封後に再び封をする際に印１０２や押印１０３がずれたりして、開封されたことがわかるようになっている。
【０００４】
また、紙製以外の樹脂製の封筒やケースにも使用可能なものとして、例えば特許文献１に開示されているような、封をする部分に貼付する開封防止シールを用いることがある。特許文献１の開封防止シールは、半透明の薄いシールと紙とからなる二層構造で、シールの表面に紙を貼り直しのできないように圧着したものであり、開封する際に紙が剥がれることにより、開封されたことがわかるようになっている。
【特許文献１】実用新案登録第３０７５７３８号公報（段落番号０００４）
【発明の開示】
【発明が解決しようとする課題】
【０００５】
ところが、特許文献１の開封防止シールのような既製品は、全く同じシールの入手が容易であるため、第三者が開封後に同じシールを貼付した場合に、開封の有無を確認することができない。
【０００６】
本発明は、開封後の同じシールの貼付を防止して、開封の有無を確実に表示させることができる開封表示シールを提供することを目的とする。
【課題を解決するための手段】
【０００７】
上記課題に鑑み、本発明は、封をする部分に貼付して開封されたことを表示することを前提として、開封する際の破壊により開封されたことを表示する表示層と、サインなどの印を記入可能な記入層とを備えた開封表示シールを提供するものである。
【０００８】
この構成によれば、開封済みであることを表示層の破壊によって表示することができると共に、記入層にサインなどの印を記入しておくことにより、第三者が同じシールを入手して開封後に貼付することを防止することができる。
【０００９】
開封時に表示層を破壊するための構成として、表示層を透明又は半透明の外側シールで覆い、表示層の一部と残部とで、封をする部分側への付着力が異なるように設定する。これにより、外側シールを剥がす際に、封をする部分側への付着力の強い部位が封をする部分側に残って、封をする部分側への付着力の弱い部位のみが外側シールに付着して取れ、表示層が全体として破壊されるようにする。
【００１０】
そうすれば、外側シールを剥がして開封した後、再び封をして外側シールを貼り付けようとしても、表示層のうち、封をする部分側に残った部位と外側シールに付着した部位とが微妙にずれるので、開封されたことを確認することができる。
【００１１】
この場合において、表示層と記入層とを兼用すれば、剥がした外側シールの再貼付により、封をする部分に残った部位と外側シールに付着した部位との境界で、サインなどの印が不一致になるので、開封されたことをより確認しやすくすることができる。また、記入層とを兼用する表示層を外側シールで覆うので、開封するまで、記入層に記入したサインなどの印を外側シールで保護することができる。
【００１２】
封をする部分に貼付する内側シールと、この内側シールを覆うように貼付する外側シールとを設けてもよい。より具体的には、内側シールをシール基材の表面に表示層を形成した構造とし、表示層の一部と残部とで、シール基材への付着力が異なるように設定する。
【００１３】
そうすれば、外側シールを剥がすことにより、表示層の一部が内側シールのシール基材に保持されたままで、表示層の残部のみが外側シールに付着して内側シールから取れる。外側シールを剥がした後、さらに内側シールを剥がして開封するので、封筒などに表示層が残らず、封筒などを繰り返し使用しても汚くなることはない。
【００１４】
表示層の一部と残部とで、シール基材への付着力を異ならせるための手段として、シール基材の一部と表示層との間に剥離層を形成し、剥離層を形成した表示層の一部と剥離層の存在しない表示層の残部とで、シール基材への付着力が異なるようにする構成を例示できる。つまり、表示層のシール基材への付着力を外側シールへの付着力よりも強く設定しておき、剥離層を形成した部位の表示層のみが外側シールに付着して取れるようにする。
【００１５】
また、シール基材の一部に、表示層を保持する保持性を高めるプライマー処理を施して、プライマー処理を施した表示層の一部とプライマー処理を施していない残部とで、シール基材への付着力が異なるようにする構成を採用することもできる。つまり、表示層のシール基材への付着力を外側シールへの付着力よりも弱く設定しておき、プライマー処理を施した部位を除く表示層のみが外側シールに付着して取れるようにする。
【００１６】
外側シールよりも内側シールの粘着性を強く設定すれば、あるいは、内側シールの周縁の表面側に剥離層を形成すれば、外側シールを剥がす際、内側シールを封筒などに貼り付いたままにして、外側シールだけが剥がれるようにすることができる。これにより、外側シールと内側シールとが重なったまま一緒に剥がれることを阻止して、これらの開封後の貼り直しを防止することができる。
【００１７】
開封時に汚れてもよい使い捨ての封筒などに使用する場合、封をする部分に表示層を直接付着させるようにしてもよい。具体的には、表示層の一部と残部とで、封をする部分への付着力が異なるように設定しておき、この表示層を保持フィルムにより、封をする部分に転写可能に保持する。この保持フィルムから封をする部分に、記入層と兼用される表示層を転写し、これを外側シールで覆えばよい。開封後は、破壊された表示層の一部が封をする部分に残るので、機密書類を入れた封筒などを開封したものであることを確認することができる。
【００１８】
また、封をする部分に表示層を直接付着させる場合において、記入層と外側シールとを兼用するようにしてもよい。具体的には、外側シールをその表面にサインなどの印を記入可能として、裏面側に表示層を形成し、表示層の一部と残部とで、封をする部分への付着力が異なるように設定する。これにより、表示層を保持する保持フィルムを省略することができる。
【００１９】
表示層の一部と残部とで、封をする部分への付着力を異ならせるための手段として、表示層の裏面の一部に粘着層を形成し、この粘着層が形成された表示層の一部と粘着層の存在しない表示層の残部とで、封をする部分への付着力が異なるようにする構成を例示できる。つまり、表示層の封をする部分への付着力を外側シールへの付着力よりも弱く設定しておき、粘着層を形成した部位を除く表示層のみが外側シールに付着して取れるようにする。
【００２０】
また、表示層の裏面側に、粘着層を介在させて、一部を開口された剥離層を設け、この剥離層が開口された部位の表示層と残部の表示層とで、封をする部分への付着力が異なるようにする構成を採用することもできる。つまり、表示層の封をする部分への付着力を外側シールへの付着力よりも強く設定しておき、剥離層を形成した部位の表示層のみが外側シールに付着して取れるようにする。
【００２１】
また、本発明は、開封時に表示層を破壊するための別の構成を提供する。すなわち、表示層と記入層とを兼用するものとして、表示層をシール基材の表面に形成し、シール基材を、封をする部分から剥がす際の伸びに伴って表示層が破壊される程度の伸縮性を有するものとする。そうすれば、開封時に封筒などから剥がす際に、シール基材が伸びて表示層が破壊されるので、第三者の開封後の貼り直しを防止することができる。
【００２２】
封をする部分に貼付するまでは、シール基材が自由に伸びるので表示層が破壊されやすいが、封をする部分に貼付するまで、表示層を覆う保護フィルムによってシール基材の伸縮を規制することにより表示層を保護することができる。
【発明の効果】
【００２３】
以上の説明から明らかな通り、本発明によると、サインなどの印を記入しておく記入層を設けるので、第三者が同じシールを入手して開封後に貼付することを防止することができる。
【００２４】
また、表示層を覆うように貼付した外側シールを剥がす際に表示層を破壊することにより、あるいは、シール基材の伸縮性によって表示層を破壊することにより、開封の有無を確実に表示することができる。
【発明を実施するための最良の形態】
【００２５】
以下、本発明に係る開封表示シールの実施の形態について、図面を用いて説明する。第１〜第６の各実施形態における開封表示シールは、いずれも封をする部分に貼付しておくことによりその開封を表示するようにして、機密書類を入れた封筒などの第三者による開封を防止するものであり、開封する際の破壊により開封されたことを表示する表示層と、サインなどの印を記入可能な記入層とを備えている。
【００２６】
［第１実施形態］
図１は本発明の第１実施形態の開封表示シールを示す図であり、（ａ）は内側シールおよび外側シールの斜視図、（ｂ）は封をする部分に貼付した状態の断面図である。
【００２７】
この開封表示シールは、表示層と記入層とを兼用するものであり、封をする部分に貼付するための内側シール１と、内側シール１を覆うように貼付するための外側シール２とから構成される。
【００２８】
内側シール１は、例えばポリプロピレンやポリエチレンなどの破れにくい樹脂シートからなるシール基材３の表面に、サイン４を記入可能な表示層（記入層）５を形成し、シール基材３と表示層５との間の一部に剥離層６を介在させた構造とされる。剥離層６を介在させた部位では、他の部位よりもシール基材３への表示層５の付着力が弱く、外側シール２を剥がして開封する際に、サイン４を記入した表示層５の一部のみが外側シール２に付着して取れて、表示層５が全体として破壊されるようになっている。
【００２９】
表示層５は、例えば水性ペンによる記入に適したＯＰＰメール６３（東洋インキ製造株式会社）を用いて、シール基材３の全面にグラビア印刷してなる。このグラビア印刷によって表示層５を形成する際に、所望の模様７を形成することができる。なお、グラビア印刷の代わりにシルク印刷やラミネート印刷などの他の印刷方法を用いてもよい。
【００３０】
剥離層６は、例えばＳ１３３９ＨＰ剥離ワニス（東洋インキ製造株式会社）を用いて、シール基材３の一部にグラビア印刷してなる。この剥離層６は、様々な平面形状に形成することができる。なお、内側シール１の形は、丸、星、四角、帯状などどのようなものでもよい。
【００３１】
外側シール２は、例えばポリプロピレンやポリエチレンなどの破れにくい樹脂シートから、内側シール１を完全に覆う大きさに形成され、内側シール１の表示層５を保護する保護テープとして機能する。この外側シール２は、色付き又は無色の透明又は半透明とされ、内側シール１の表示層５に記入したサイン４を確認できるようになっている。
【００３２】
外側シール２の粘着性は、内側シール１の粘着性よりも弱く設定され、外側シール２を剥がして開封する際に、内側シール１が一緒に剥がれることを防止している。なお、外側シール２の形は、丸、星、四角、帯状などどのようなものでもよい。
【００３３】
次に、この開封表示シールを使用する手順を説明する。図２は開封表示シールを使用する手順を示す図である。
【００３４】
まず、図２（ａ）に示すように、封筒８の封をする部分に内側シール１を貼付し、図２（ｂ）に示すように、内側シール１の表面の表示層５に封緘者のサイン４を記入する。次いで、図２（ｃ）および（ｄ）に示すように、内側シール１を覆うように外側シール２を貼付する。この封筒８は、外側シール２を剥がした後、さらに内側シール１を剥がして開封する。図２（ｅ）に示すように、外側シール２を剥がすことにより、内側シール１のサイン４および模様７の一部が外側シール２に付着する。
【００３５】
開封後に、再び内側シール１を貼付し、これを覆うように外側シール２を貼付しても、内側シール１に残った表示層５と、外側シール２に付着した表示層５とが微妙にずれるので、サイン４や模様７が不一致になり、外側シール２を剥がしたことを表示する。なお、内側シール１のシール基材３および外側シール２を破れにくい素材から形成するので、開封後に封筒８に残すことなく美しく剥がすことができる。
【００３６】
次に、この開封表示シールを製造する手順を説明する。図３は開封表示シールを製造する手順を示す図である。
【００３７】
まず、図３（ａ）に示すように、例えばポリプロピレンやポリエチレンなどからなる樹脂シート９と、両面に粘着性のある粘着層１０と、離型紙１１とを重ねることにより、三層構造のシート１２を構成する。なお、樹脂シート９に粘着剤を塗布して、これに離型紙１１を重ねるようにしてもよい。
【００３８】
三層構造のシート１２のうち、一部は内側シール１を形成するための領域１２ａであり、残りは、外側シール２を形成するための領域１２ｂである。領域１２ａの粘着層１０の粘着性は、領域１２ｂの粘着層１０の粘着性よりも強く設定しておく。なお、領域１２ａの面積は領域１２ｂの面積よりも小さく設定しておく。
【００３９】
次いで、図３（ｂ）に示すように、領域１２ａの樹脂シート９の表面に部分的に剥離ワニスなどを塗布（印刷）して剥離層６を形成する。その後、べた印刷やグラビア印刷により、領域１２ａの樹脂シート９の全面に、サイン４を記入可能な表示層５を形成する。このとき、表示層５に意匠的な模様７を形成するようにしてもよい。
【００４０】
図３（ｃ）に示すように、領域１２ａを所定の形に打ち抜いて内側シール１を形成し、領域１２ｂを所定の形に打ち抜いて外側シール２を形成する。なお、内側シール１を形成するための三層構造のシート１２と、外側シール２を形成するための三層構造のシート１２とを別々に形成してもよい。この場合、ユーザーがプリンター出力して表示層５を形成することにより、オリジナルの開封防止シールを得ることができる。
【００４１】
上記構成によれば、外側シール２を剥がす際に表示層５の一部のみを付着させるので、外側シール２を再び貼り直しても、内側シール１に残った表示層５と、外側シール２に付着した表示層５とが微妙にずれるようになり、第三者による開封後の復元を防止することができる。また、表示層５に独自のサイン４を記入するので、同じシールを入手することによる復元を防止することができる。
【００４２】
開封表示シールを破れにくい樹脂シートから形成し、開封時に完全に剥がすようにしているので、開封後の封筒８などに残らず、繰り返し使用される樹脂製の封筒やケースなどに好適に用いることができる。
【００４３】
なお、この第一実施形態では、シール基材３の一部に剥離層６を形成してその上に表示層５を形成するようにしているが、シール基材３の一部に、表示層５を保持する保持性を高めるプライマー処理を施して、表示層５の一部と残部とで、シール基材３への付着力が異なるようにしてもよい。これにより、外側シール２を剥がす際に、プライマー処理を施した部位の表示層５が内側シール１に残り、残りの部位の表示層５が外側シール２に付着する。
【００４４】
［第２実施形態］
図４は本発明の第２実施形態の開封表示シールを示す図であり、（ａ）は断面図、（ｂ）は斜視図である。
【００４５】
この開封表示シールは、第１実施形態の開封表示シールとほぼ同じ構成であるが、内側シール１の粘着性と外側シール２の粘着性とを同じ強さに設定し、内側シール１の周縁の表面側に剥離層１３を形成している。剥離層１３は、内側シール１のシール基材３の周縁の表面側に剥離ワニスなどを塗布し、その上に形成した表示層５が剥がれやすいようにするものである。
【００４６】
この構成により、内側シール１を覆うように貼り付けた外側シール２を剥がす際、内側シール１の周縁の表示層５がとれるので、内側シール１が一緒に剥がれることを防止することができる。
【００４７】
［第３実施形態］
図５は本発明の第３実施形態の開封表示シールを示す図であり、（ａ）は封緘前の状態を示す斜視図、（ｂ）は封緘後の状態を示す斜視図、（ｃ）は封緘後の状態を示す断面図である。
【００４８】
この開封表示シールは、第１、第２実施形態の開封表示シールとほぼ同じ構成であるが、封筒８やファイルポケットのフタ部８ａが透明又は半透明である場合に使用するためのものであり、外側シール２を透明又は半透明の両面粘着シートから形成している。
【００４９】
この開封表示シールは、封筒本体８ｂの封をする部位に内側シール１を貼付して、これを覆うように外側シール２を貼付し、その上をフタ部８ａで覆うように封をするようになっている。フタ部８ａおよび外側シール２が透明又は半透明であり、これらを通して表示層（記入層）５のサイン４を確認することができる。
【００５０】
外側シール２の粘着性は、表面側の粘着性を裏面側の粘着性よりも強く設定し、フタ部８ａを開ける際、外側シール２がフタ部８ａに付着して剥がれるようにする。また、外側シール２の裏面側の粘着性を内側シール１の粘着性よりも小さくするか、あるいは第２実施形態のように、内側シール１の周縁の表面側に剥離層１３を形成することにより、内側シール１が一緒に剥がれることを防止する。これにより、フタ部８ａを捲ることにより、表示層５のサイン４や模様７が取れて、開封されたことを表示することができる。
【００５１】
なお、複数の内側シール１を設ける場合、一枚の外側シール２で複数の内側シール１を覆うようにしてもよく、内側シール１の数に合わせた枚数の外側シール２を用いるようにしてもよい。
【００５２】
［第４実施形態］
図６は本発明の第４実施形態の開封表示シールを示す図であり、（ａ）は保持フィルムおよび外側シールの斜視図、（ｂ）は封をする部分への貼付前の断面図、（ｃ）は封をする部分への貼付後の断面図である。
【００５３】
図６（ａ）および（ｂ）に示すように、この開封表示シールは、封をする部分に表示層（記入層）５を直接付着させるものであり、表示層５を封をする部分に転写可能に保持する保持フィルム１４と、封をする部分に転写した表示層５を覆うように貼付する外側シール２とを備えている。
【００５４】
保持フィルム１４は、例えばポリプロピレンやポリエチレンなどの破れにくい樹脂シートからなり、その裏面に粘着層を介在させて表示層５を形成することにより、表示層５をその記入面側から保持するようになっている。この保持フィルム１４は、不透明なものであってもよいが、透明又は半透明にして表示層５の記入面が見えるようにするのがよい。
【００５５】
保持フィルム１４と表示層５との間に介在する粘着層は微弱なものとされ、保持フィルム１４の表面を指でこすりつけるなどして、表示層５を封をする部分に転写できるようになっている。表示層５は、第１〜第３実施形態のものと同じものを使用でき、意匠印刷を施したり、その一部又は全部をオリジナルパターンのホログラム箔で構成してセキュリティ性を高めたりすることができる。
【００５６】
粘着剤の塗布や粘着シートを配置することにより、表示層５の裏面の一部に粘着層１５を形成し、粘着層１５を形成した部位の表示層５と粘着層１５の存在しない部位の表示層５とで、封をする部分への表示部５の付着力が異なるようにする。なお、表示層５の裏面の一部に形成する粘着層１５とは、表示層５の裏面の全面に粘着層を形成し、一部と残部とでその粘着性に差をつけたものを含む概念である。
【００５７】
図６（ｃ）に示すように、封をする部分に転写した表示層５を覆うように外側シール２を貼付することにより、開封時に外側シール２を剥がす際に、粘着層１５の存在しない部位の表示層５のみが外側シール２に付着して取れるようになっている。ここで、粘着層１５の粘着性は外側シール２の粘着性よりも強く設定しておく。その他の構成は、第１〜第３実施形態の開封表示シールとほぼ同じである。
【００５８】
上記構成によれば、開封後の封筒などに表示層５の一部が残るので、開封された封筒などが機密書類などを入れて開封表示シールを貼付していたものであることを確認することができる。
【００５９】
なお、表示層５の裏面の一部に粘着層１５を形成する代わりに、表示層５の裏面の全面に粘着層を配置し、この粘着層の裏面側に、一部を開口された剥離層１６を設けてもよい。図７に示すように、剥離層１６は、部分的に打ち抜き処理したフィルムなどであり、この剥離層１６が開口された部位の表示層５のみが封をする部分に付着し、残部の表示層５は剥離層１６を介して封をする部分側に付着する。
【００６０】
［第５実施形態］
図８は本発明の第５実施形態の開封表示シールを示す図であり、（ａ）は斜視図、（ｂ）は断面図である。
【００６１】
この開封表示シールは、第４実施形態の開封表示シールとほぼ同じ構成であるが、表示層と記入層とを兼用する代わりに、記入層と外側シールとを兼用している。また、保持フィルム１４で表示層５を保持する代わりに、外側シール２で表示層５を保持して、封をする部分に外側シール２をそのまま貼付するようにしている。
【００６２】
外側シール２は、例えばインクを染みこませるようにしたり、あるいは表面の粗度を粗くしたりして、その表面にサインなどの印を記入可能とされ、裏面側に表示層５が形成されている。その他の構成は、第４実施形態の開封表示シールとほぼ同じである。
【００６３】
［第６実施形態］
図９は本発明の第６実施形態の開封表示シールの斜視図である。この開封表示シールは、シール基材１７と、シール基材１７を封筒などに貼付するための粘着層１８と、シール基材１７の表面にサイン４を記入可能に形成された表示層５と、シール基材１７の伸縮を規制して表示層５を保護する保護フィルム１９とからなる。
【００６４】
シール基材１７は、伸びやすく破れにくい素材からなり、開封時に剥がす際の伸びに伴って表示層５が破壊される程度の伸縮性を有するものとされる。表示層５は、第１〜第５実施形態の表示層５と同じものを使用することができ、シール基材１７の表面にシルク印刷やグラビア印刷などを施すことにより形成される。
【００６５】
保護フィルム１９は、伸びにくい素材からなり、封をする部分にシール基材１７を貼付するまで、シール基材１７に保持される表示層５を覆って保護する。保護フィルム１９は、表示層５の端の部分に付着してシール基材１７の伸縮を規制する。なお、保護フィルム１９を剥がした後の再付着性はない。
【００６６】
次に、この開封表示シールを使用する手順を説明する。まず、封をする部分に開封表示シールを貼付し、保護フィルム１９を剥がして表示層５にサイン４を記入する。開封時に、シール基材１７を剥がすことにより、シール基材１７が伸びて、その表面に形成した表示層５がぼろぼろに破壊され、開封されたことを表示する。なお、シール基材１７は、伸びやすいが破れにくいので、封筒などに残ることなく美しく剥がすことができる。
【図面の簡単な説明】
【００６７】
【図１】本発明の第１実施形態の開封表示シールを示す図
【図２】第１実施形態の開封表示シールを使用する手順を示す図
【図３】第１実施形態の開封表示シールを製造する手順を示す図
【図４】本発明の第２実施形態の開封表示シールを示す図
【図５】本発明の第３実施形態の開封表示シールを示す図
【図６】本発明の第４実施形態の開封表示シールを示す図
【図７】一部を開口された剥離層の斜視図
【図８】本発明の第５実施形態の開封表示シールを示す図
【図９】本発明の第６実施形態の開封表示シールの斜視図
【図１０】従来の封筒の開封防止手段を示す図
【符号の説明】
【００６８】
１    内側シール
２    外側シール
３    シール基材
４    サイン
５    表示層（記入層）
６    剥離層
１３  剥離層
１４  保持フィルム
１５  粘着層
１６  剥離層
１７  シール基材
１９  保護フィルム
【図１】
2007057550.tif 000003
【図２】
2007057550.tif 000004
【図３】
2007057550.tif 000005
【図４】
2007057550.tif 000006
【図５】
2007057550.tif 000007
【図６】
2007057550.tif 000008
【図７】
2007057550.tif 000009
【図８】
2007057550.tif 000010
【図９】
2007057550.tif 000011
【図１０】
2007057550.tif 000012